(57)【要約】【課題】視聴者は、番組を視聴しながら居眠りをし、見たい番組を見逃してしまうことがあった。また、視聴者が居眠りをしている間も映像表示装置の電源はＯＮであり、電力が無駄に消費されることがあった。このため、番組の見逃しを防止し、また、無駄に消費される電力を抑制することが課題となっていた。【解決手段】この発明の実施の形態に係る映像表示装置は、視聴者の居眠りを検出した信号を受信する居眠り検出信号受信手段を備える。また、受信した居眠り検出信号に応じて録画再生を一時停止する一時停止手段を備える。【選択図】  図５
2011254365.tif 000002
【特許請求の範囲】
【請求項１】
視聴者の居眠りを検出した信号を受信する居眠り検出信号受信手段と、
前記居眠り検出信号に応じて録画再生を一時停止する一時停止手段を備える映像表示装置。
【請求項２】
前記居眠り検出信号に応じた一時停止から予め決められた時間の間に、録画再生が再開されなかった場合は、前記録画再生を停止する再生停止手段をさらに備える請求項１に記載の映像表示装置。
【請求項３】
視聴者の居眠りを検出した信号を受信する居眠り検出信号受信手段と、
前記居眠り検出信号に応じて、前記居眠り検出時に映像表示手段に表示されていた放送の録画を開始する録画開始手段を備える映像表示装置。
【請求項４】
前記居眠り検出信号の受信から予め決められた時間の間、居眠りが継続したと判断された場合は、前記放送の録画を行う放送録画手段をさらに備える請求項３に記載の映像表示装置。
【請求項５】
視聴者の居眠りを検出した信号を受信するステップと、
前記居眠り検出信号に応じて録画再生を一時停止するステップを備える映像表示方法。
【請求項６】
視聴者の居眠りを検出した信号を受信するステップと、
前記居眠り検出信号に応じて、前記居眠り検出時に映像表示手段に表示されていた放送の録画を開始するステップを備える映像表示方法。
【発明の詳細な説明】
【技術分野】
【０００１】
本発明の実施形態は、映像を表示可能な、映像表示装置に関する。
【背景技術】
【０００２】
近年、立体視眼鏡（３Ｄメガネ）を用いて３Ｄ映像が視聴される、映像表示装置（３ＤＴＶ）が実用化されつつある。
しかし、視聴者は番組を視聴しながら居眠りをしてしまうことが予想され、折角の番組を見逃してしまう恐れがあった。
また、視聴者が居眠りをしている間にも映像表示装置にはコンテンツが表示され、無駄に電力が消費される恐れがあった。
このため、番組の見逃しを防止し、また、無駄に消費される電力を抑制することが課題となっていた。
【先行技術文献】
【特許文献】
【０００３】
【特許文献１】特開平09-034424号公報
【特許文献２】特開平10-216234号公報
【特許文献３】特開2007-104331号公報
【発明の概要】
【発明が解決しようとする課題】
【０００４】
視聴者は、番組を視聴しながら居眠りをし、見たい番組を見逃してしまうことがあった。
また、視聴者が居眠りをしている間も映像表示装置の電源はＯＮであり、電力が無駄に消費されることがあった。
このため、番組の見逃しを防止し、また、無駄に消費される電力を抑制することが課題となっていた。
【課題を解決するための手段】
【０００５】
実施形態の映像表示装置は、視聴者の居眠りを検出した信号を受信する居眠り検出信号受信手段を備える。
また、受信した居眠り検出信号に応じて録画再生を一時停止する一時停止手段を備える。
【図面の簡単な説明】
【０００６】
【図１】実施形態に係る映像表示装置の概略を説明する図。
【図２】実施形態に係る映像表示装置の構成を説明するブロック図。
【図３】実施形態に係る映像表示装置の映像出力部の構成の一例を説明するブロック図。
【図４】実施形態に係る立体視用眼鏡（３Ｄメガネ）の概略を説明する図。
【図５】実施形態に係る映像表示装置の動作を説明するフローチャート。
【発明を実施するための形態】
【０００７】
以下、図面を参照し、実施の形態を説明する。
図１は、実施形態に係る映像表示装置の概略を説明する図である。
符号１１はデジタルテレビジョン放送受信装置、符号１２は立体視用眼鏡（３Ｄメガネ）、符号１３はキャビネット、符号１４は支持台、符号１５は液晶表示パネル、符号１６はスピーカ、符号１７は操作部、符号１７ａは主電源スイッチ、符号１８はリモートコントローラ、符号１９は受光部、符号２０は基台である。
【０００８】
デジタルテレビジョン放送受信装置１１は、立体視映像（３Ｄまたは３次元）表示が可能である。ここでは、このデジタルテレビジョン放送受信装置１１の表示映像から立体視映像を認識するための立体視用眼鏡（３Ｄメガネ）１２を備えている。
【０００９】
デジタルテレビジョン放送受信装置１１は、キャビネット１３と、このキャビネット１３を支持する支持台１４から構成されている。そして、キャビネット１３には、その正面中央部に、映像表示部としての液晶表示パネル１５が配置されている。また、このキャビネット１３には、その両側面にそれぞれスピーカ１６が配置され、ステレオ音声再生が行なえるように構成されている。
【００１０】
また、このキャビネット１３には、その正面下部に、主電源スイッチ１７ａを含む操作部１７と、リモートコントローラ１８から送信される操作情報を受信するための受光部１９が配置されている。
【００１１】
支持台１４は、キャビネット１３の底面中央部に回動自在に連結され、所定の基台２０の水平面上に載置された状態で、キャビネット１３を起立させて支持している。
【００１２】
上記デジタルテレビジョン放送受信装置１１は、立体視用映像を表示する場合、右目用映像信号と左目用映像信号を生成して、液晶表示パネル１５に、右目用映像と左目用映像を交互に映像表示する。
【００１３】
また、このデジタルテレビジョン放送受信装置１１は、右目用映像を映像表示している期間と、左目用映像を映像表示している期間とをそれぞれ示すシャッタ制御信号ＳＣを生成し、立体視用眼鏡１２に出力する。
【００１４】
立体視用眼鏡１２は、デジタルテレビジョン放送受信装置１１から供給されるシャッタ制御信号ＳＣに基づいて、右目用映像の表示時に左目のシャッタを閉じ、左目用映像の表示時に右目のシャッタを閉じるように制御され、これにより、ユーザに立体視映像を認識させている。
【００１５】
また、上記立体視用眼鏡１２は、ユーザが装着しているか否か、つまり、ユーザが眼鏡を掛けているか外しているかを検出するための着脱検出部２１を備えている。そして、この着脱検出部２１から出力される着脱検出信号ＣＤは、デジタルテレビジョン放送受信装置１１に供給される。
【００１６】
また、後述するように、立体視用眼鏡１２は、ユーザが居眠りをしているかを検出し、居眠り検出信号ＳＤを出力する居眠り検出送信部６を備えている。この居眠り検出送信部６から出力される居眠り検出信号ＳＤも、デジタルテレビジョン放送受信装置１１に供給される。
【００１７】
このデジタルテレビジョン放送受信装置１１は、ユーザが立体視用眼鏡１２を装着している旨を示す着脱検出信号ＣＤが供給されたとき、液晶表示パネル１５に右目用映像と左目用映像を交互に映像表示して、立体視映像表示を実行する。
【００１８】
図２は、実施形態に係る映像表示装置の構成を説明するブロック図である。
符号２１は着脱検出部、符号２２はアンテナ、符号２３は入力端子、符号２４は選局復調部、符号２５はＴＳ分離部、符号２６は映像デコーダ、符号２７は映像フレームバッファ、符号２８は映像出力部、符号２９は音声バッファ、符号３０は音声出力部、符号３１は音声デコーダ、符号３２は入力端子である。
【００１９】
符号３３は制御部、符号３３ａはＣＰＵ、符号３３ｂはメモリ部、符号３４はＨＤＤ、符号３４ａはハードディスク、符号３５はネットワークインターフェース、符号３６は入出力端子である。
【００２０】
アンテナ２２で受信されたデジタルテレビジョン放送信号は、入力端子２３を介して選局復調部２４に供給される。この選局復調部２４は、入力されたデジタルテレビジョン放送信号から所望のチャンネルの信号を選局し、その選局した放送信号に復調処理を施してＴＳ（transport stream）を生成して出力する。
【００２１】
選局復調部２４から出力されたＴＳは、ＴＳ分離部２５に供給されて、映像成分と音声成分とに分離される。このうち、映像成分は、映像デコーダ２６によりデコード処理が施されて元のデジタルの映像信号に復元された後、映像フレームバッファ２７に格納される。
【００２２】
この映像フレームバッファ２７に格納された映像信号は、フレーム単位で映像出力部２８に読み出され、所定の信号処理が施された後、上記液晶表示パネル１５に供給されて映像表示に供される。
【００２３】
また、ＴＳ分離部２５で分離された音声成分は、音声バッファ２９に格納された後、音声出力部３０に読み出されて、所定の信号処理が施される。そして、音声出力部３０から出力された音声成分は、音声デコーダ３１によりデコード処理が施されて、デジタルの音声データに復元された後、アナログ化されてスピーカ１６により音声が再生される。
【００２４】
また、このデジタルテレビジョン放送受信装置１１は、入力端子３２を備えている。この入力端子３２には、例えばＤＶＤ（digital versatile disk）等の光ディスクに対して記録再生を行なう光ディスク記録再生機器や外付けＨＤＤ（hard disk drive）等のような、外部の記録再生機器から出力されるＴＳが供給されるようになっている。
【００２５】
入力端子３２に入力されたＴＳは、ＴＳ分離部２５に供給される。そして、ＴＳ分離部２５は、選局復調部２４から供給されるＴＳと入力端子３２から供給されるＴＳのいずれか一方を選択して、映像成分と音声成分とに分離するように動作する。
【００２６】
ここで、このデジタルテレビジョン放送受信装置１１は、上記した各種の受信動作を含む種々の動作を、制御部３３によって制御される。
制御部３３は、ＣＰＵ（central processing unit）３３ａを内蔵している。そして、操作部１７からの操作情報やリモートコントローラ１８から送信され、受光部１９で受信された操作情報を受け、その操作内容が反映されるように各部を制御する。
【００２７】
制御部３３は、メモリ部３３ｂを利用する。このメモリ部３３ｂは、ＣＰＵ３３ａが実行する制御プログラムを格納したＲＯＭ（read only memory）と、ＣＰＵ３３ａに作業エリアを提供するためのＲＡＭ（random access memory）と、各種の設定情報及び制御情報等が格納される不揮発性メモリとを有している。
【００２８】
また、制御部３３は、内蔵型のＨＤＤ３４に接続されている。この制御部３３は、ユーザによる操作に基づいて、映像デコーダ２６や音声デコーダ３１から得られるデジタルの映像信号や音声信号等に、暗号化処理や所定の記録フォーマットへの変換処理を施した後、ＨＤＤ３４に供給してハードディスク３４ａに記録させることができる。
【００２９】
また、制御部３３は、ユーザによる操作に基づいて、ＨＤＤ３４によりハードディスク３４ａから所望の映像信号や音声信号等を読み出させ、暗号の解読処理を施した後、映像フレームバッファ２７や音声デコーダ３１に供給することにより、映像表示や音声再生に供させることができる。
【００３０】
さらに、制御部３３は、ネットワークインターフェース３５及び入出力端子３６を介して、例えばインターネット等のネットワークに接続されている。
これにより、制御部３３は、ユーザによる操作に基づいて、ネットワーク上のサーバにアクセスして所望の映像信号や音声信号等を取得し、映像表示や音声再生に供させたり、ＨＤＤ３４のハードディスク３４ａに記録させたりすることができる。
【００３１】
映像出力部２８は、映像フレームバッファ２７からフレーム単位で供給された映像信号が通常の２次元表示用の映像信号である場合には、その映像信号に対して液晶表示パネル１５で表示可能なフレーム倍速変換処理を施した後、液晶表示パネル１５に供給して映像表示させる。
【００３２】
映像出力部２８は、映像フレームバッファ２７からフレーム単位で供給された映像信号が、立体視用の映像信号である場合には、その映像信号から右目用映像信号と左目用映像信号とをそれぞれ生成し、それらの映像信号を交互に液晶表示パネル１５に出力して映像表示に供させる。
【００３３】
このとき、映像出力部２８は、右目用映像を映像表示している期間と、左目用映像を映像表示している期間とをそれぞれ示すシャッタ制御信号ＳＣを生成し、出力端子３７を介して立体視用眼鏡１２に出力する。
【００３４】
立体視用眼鏡１２は、デジタルテレビジョン放送受信装置１１から供給されるシャッタ制御信号ＳＣに基づいて、右目用映像の表示時に左目のシャッタを閉じ、左目用映像の表示時に右目のシャッタを閉じるように制御され、これにより、ユーザに立体視映像が認識される。
【００３５】
なお、上記映像フレームバッファ２７からフレーム単位で供給される映像信号が、通常の２次元表示用の映像信号であるか、立体使用の映像信号であるかの判断は、例えば、制御部３３が、映像表示の対象となる映像信号に付された属性情報を検知することにより、行なうことができる。
【００３６】
また、立体視用眼鏡１２は、ユーザが装着しているか否かを検出するための、着脱検出部２１を備えている。この着脱検出部２１としては、例えば、圧力の有無によってユーザが装着しているか否かを検出するもの、発光した赤外線が液晶表示パネル１５面で反射されて受光されたか否かによってユーザが装着しているか否かを検出するもの、傾きによってユーザが装着しているか否かを検出するもの等々、種々の手法によるものが考えられる。
【００３７】
そして、この着脱検出部２１は、無線により着脱検出信号ＣＤを送信しており、送信された着脱検出信号ＣＤは映像出力部２８に受信される。
この映像出力部２８は、映像フレームバッファ２７から供給された映像信号が立体視用の映像信号であって、ユーザが立体視用眼鏡１２を装着している旨を示す着脱検出信号ＣＤが供給されているときには、その映像信号から右目用映像信号と左目用映像信号とをそれぞれ生成し、それらの映像信号を交互に液晶表示パネル１５に映像表示させて立体視映像表示を実行する。
【００３８】
また、この映像出力部２８は、ユーザが立体視用眼鏡１２を装着していない旨を示す着脱検出信号ＣＤが供給されたとき、受信した立体視用の映像信号を通常の２次元表示用の映像信号に変換し、その２次元表示用の映像信号に対して液晶表示パネル１５で表示可能なフレーム倍速変換処理を施した後、液晶表示パネル１５に供給して映像表示させる。
【００３９】
図３は、実施形態に係る映像表示装置の映像出力部の構成の一例を説明するブロック図である。
符号３８は入力端子、符号３９は３次元２次元（３Ｄ−２Ｄ）変換部、符号４０は左右映像分離部、符号４１は倍速変換部、符号４２はセレクタ、符号４３は左右クロストーク防止部、符号４４は選択信号生成部、符号４５は映像出力処理部、符号４６は出力端子、符号４７は出力端子、符号４８は受信部、符号４９は解析部である。
【００４０】
ここでは、上記映像出力部２８の構成の一例を示している。
上記のように、映像フレームバッファ２７から供給された映像信号は、入力端子３８を介して、３次元２次元（３Ｄ−２Ｄ）変換部３９及び左右映像分離部４０に供給される。
【００４１】
３次元２次元変換部３９は、２次元（２Ｄ）表示用の映像信号が入力されたとき、その映像信号を後段の倍速変換部４１に出力する。
また、３次元２次元変換部３９は、立体視用の映像信号が入力されたとき、その映像信号を２次元表示用の映像信号に変換して倍速変換部４１に出力する。
倍速変換部４１は、入力された２次元表示用の映像信号に対して、例えばフレーム間の動きベクトルを利用した補間フレームを作成する等の手法により、液晶表示パネル１５で表示可能なフレーム倍速変換処理を施し、セレクタ４２の入力端に出力する。
【００４２】
また、左右映像分離部４０は、立体視用の映像信号が入力されたとき、その映像信号を右目用映像信号と左目用映像信号とに分離し、それらの映像信号を倍速で交互に左右クロストーク防止部４３に出力する。
【００４３】
この左右クロストーク防止部４３は、交互に入力される右目用映像信号と左目用映像信号との間に黒映像信号を挿入して、右目用映像と左目用映像との切り替わり時の干渉（クロストーク）を防止する処理を施した後、セレクタ４２の入力端に出力する。
【００４４】
セレクタ４２は、倍速変換部４１及び、左右クロストーク防止部４３から供給される映像信号を、選択信号生成部４４から出力される選択信号に基づいて選択し、その選択した映像信号を映像出力処理部４５に出力する。
【００４５】
映像出力処理部４５は、入力された映像信号に対して、上記液晶表示パネル１５での映像表示に供させるための信号処理を施し、出力端子４６を介して液晶表示パネル１５に出力する。
【００４６】
また、映像出力処理部４５は、入力された映像信号が立体視用の映像信号である場合に、右目用映像を映像表示している期間と、左目用映像を映像表示している期間とを示すシャッタ制御信号ＳＣを生成し、出力端子４７を介して上記立体視用眼鏡１２に出力する。
【００４７】
立体視用眼鏡１２は、映像出力処理部４５から供給されるシャッタ制御信号ＳＣに基づいて、右目用映像の表示時に左目のシャッタを閉じ、左目用映像の表示時に右目のシャッタを閉じるように制御される。これにより、ユーザに立体視映像が認識される。
【００４８】
また、立体視用眼鏡１２が備えられた着脱検出部２１から、無線により出力される着脱検出信号ＣＤは、映像出力部２８内の受信部４８に受信される。
受信部４８で受信された着脱検出信号ＣＤは、解析部４９に供給され、ユーザが立体視用眼鏡１２を装着しているか否かが判断される。
解析部４９は、ユーザが立体視用眼鏡１２を装着していると判断した場合は、選択信号生成部４４に対して、左右クロストーク防止部４３から出力される映像信号を映像信号処理部４５に導くように、セレクタ４２を切り替える選択信号を発生させる。
【００４９】
また、解析部４９は、ユーザが立体視用眼鏡１２を装着していないと判断した場合は、選択信号生成部４４に対して、倍速変換部４１から出力される映像信号を映像信号処理部４５に導くように、セレクタ４２を切り替える選択信号を発生させる。
【００５０】
上記映像出力部２８においては、立体視用の映像信号を液晶表示パネル１５での映像表示に供させている状態で、ユーザが立体視用眼鏡１２を外すと、自動的に立体視用の映像信号を２次元表示用に変換した映像信号が液晶表示パネル１５での映像表示に供される。
【００５１】
また、ユーザが立体視用眼鏡１２を装着すると、自動的に立体視用の映像信号が液晶表示パネル１５での映像表示に供され、ユーザが立体視映像を認識することができるようになる。
【００５２】
また、後述するように、立体視用眼鏡１２から、無線により出力される居眠り検出信号ＳＤは、映像出力部２８内の受信部４８に受信される。
受信部４８で受信された居眠り検出信号ＳＤは、解析部４９に供給され、ユーザが居眠りをしているか否かが判断される。
解析部４９は、ユーザが居眠りをしていると判断した場合、後述する動作を行うように制御部３３に指示し、デジタルテレビジョン受信装置１１が制御される。
図４は、実施形態に係る立体視用眼鏡（３Ｄメガネ）の概略を説明する図である。
符号１２は上記説明した立体視用眼鏡（３Ｄメガネ）である。
符号１は、いびき検出マイクおよびアラーム音源である。立体視用眼鏡（３Ｄメガネ）１２は、例えば、視聴者のいびきを検出し、居眠りを検出する。また、居眠りが検出されると、後述するように、アラームを鳴らす。
【００５３】
符号２は、加速度センサおよび傾きセンサである。センサを備えた立体視用眼鏡（３Ｄメガネ）１２で検出される加速度および傾きを用い、居眠りを検出可能である。
【００５４】
ここでは、これらのいびき検出マイクおよびアラーム音源１と加速度センサおよび傾きセンサ２を用い、居眠りが検出される。
符号３はモード表示部、符号４はモード変更ボタンである。
モード表示部３には、デジタルテレビジョン放送受信装置１１に設定された、居眠り検出に係るモードが表示される。
ここでは、居眠り検出に応じた制御を行うモードの一例として、例えば次の３つのモードを用いて説明する。
（モード１）目覚ましモード。視聴者の居眠り検出に応じてアラーム音を鳴らし、ユーザ（視聴者）を居眠りから目覚めさせるモードである。
例えば、生中継の番組等、視聴者は、リアルタイムで放送番組を視聴したくとも、居眠りをしてしまうことがある。このような場合に、居眠りを検出した３Ｄメガネ１２がアラーム音を出して、視聴者（ユーザ）を目覚めさせる。これにより、番組を見逃すことを防止する。
【００５５】
（モード２）再生停止モード。録画再生を行っている際の居眠り検出に応じ、一時停止するモードである。一定時間が経過したら停止し、待機状態にすることも可能である。例えば、録画再生が対象となる。
【００５６】
例えば、録画/再生機能つきテレビ１２やレコーダ（図示せず）で録画した番組、BD等を、プレーヤ（図示せず）で再生しているときに、居眠りを検出すると、テレビ１２が、再生を一時停止状態にし、一時停止中を画面に表示する。しばらくして（例えば数分程度）も、ユーザが再生を再開しない場合は、再生を停止状態にする。これにより、次回再生時は、この続きから視聴することができる。
【００５７】
レコーダやプレーヤの操作は、例えば、テレビ１２から、HDMIのCEC通信等の通信機能を用いて行うことが可能である。また、上記実施の形態のように、テレビ１２に録画/再生機能３４が備わっている場合は、再生を停止する。なお、録画再生停止後は、テレビ１２やプレーヤを待機状態にしても良い。
【００５８】
（モード３）録画モード。例えば、放送番組の視聴中に視聴者の居眠り検出に応じて録画を開始するモードである。録画開始に対応して、テレビ１１の電源を待機状態にしても良い。
【００５９】
居眠りを検出すると、現在視聴している番組の録画を始める。例えば、その視聴番組が終了するまで録画する。
これにより、番組を見逃すことなく、後で続きを見ることができる。また、録画先の録画機器は、予め設定をしておくことができる。そして、録画を開始したら、放送視聴は待機状態にしても良い。
【００６０】
（待機後OFFモード）上記モード２やモード３を実行した後に、テレビ１１を待機状態にするモードである。
（その他）上記モード１〜３および待機後OFFモードを動作させず、テレビ１１の電源をＯＮ状態のままにするモードである。３Ｄメガネ１２の電源もＯＮ状態のままにすることも可能である。
【００６１】
上記説明した複数のモードは、どの機能を使用するか、全てOFFするか等を適宜、設定することができる。
また、上記モードの設定や変更は、３Ｄメガネ１２に設けられたモード変更ボタン４またはテレビ１１に設けられたモード変更ボタン（図示せず）を用いて行われる。
【００６２】
この実施の形態においては、上記のように、居眠り検出部（例えば、加速度センサ２、傾きセンサ２、いびき検出マイク１）が３Ｄメガネ１２を装着した視聴者の居眠りを検出する。
【００６３】
そして、視聴者の居眠り状態が検出されると、居眠り検出送信部６からテレビ１２に向けて居眠り検出信号が送信される。
モード変更ボタン４は、例えば、トグル方式が用いられ、サイクリックにモードを変更するように構成可能である。例えば、モードOFF→モード１→モード２→モード３→待機後OFF→モードOFF→モード１→モード２→モード３→待機後OFFと変更する。
【００６４】
モード表示部３はLED表示され、現在選択されているモードを示す位置にLEDが点灯する。
図５は、実施形態に係る映像表示装置の動作を説明するフローチャートである。
ここでの動作は、主に、制御部３３に制御される。
符号Ｓ１００は開始ステップである。続いて符合Ｓ１０１を付したステップへ進む。
符号Ｓ１０１は、上記のように、ユーザがモード変更ボタン４を操作し、モードを設定するステップである。続いて符合Ｓ１０２を付したステップへ進む。
符号Ｓ１０２は、モード設定されているかを判断するステップである。モード設定されていると判断された場合は符号Ｓ１０４を付したステップへ進む（Ｙｅｓ）。モード設定されていると判断されない場合は符号Ｓ１０３を付したステップへ進む（Ｎｏ）。
【００６５】
符号Ｓ１０３は、上記モード設定の判断の後に、モード設定に変更されたかを判断するステップである。モード設定に変更されたと判断された場合は符号Ｓ１０４を付したステップへ進む（Ｙｅｓ）。モード設定に変更されたと判断されない場合は符号Ｓ１２７を付したステップへ進む（Ｎｏ）。
【００６６】
符号Ｓ１２７は、上記モード設定がされず、視聴者の居眠り検出に係わらず、テレビ、メガネの電源ＯＮが継続されるステップである。続いて符合Ｓ１０３を付したステップへ進み、上記処理が繰り返される。
【００６７】
符号Ｓ１０４は、視聴者がメガネを装着し、テレビ１１に表示されるコンテンツ（放送または録画コンテンツ）を視聴するステップである。続いて符合Ｓ１０５を付したステップへ進む。
【００６８】
符号Ｓ１０５は、視聴者（ユーザ）が、テレビ１１に表示されるコンテンツを視聴中に居眠りをするステップである。続いて符合Ｓ１０６を付したステップへ進む。
符号Ｓ１０６は、上記居眠り検出部のセンサ（１、２で）で視聴者の居眠りを検出するステップである。続いて符合Ｓ１０７を付したステップへ進む。
符号Ｓ１０７は、上記のように設定されたモードが、（モード１）目覚ましモードかを判断するステップである。設定されたモードが、（モード１）目覚ましモードであると判断された場合は、符合Ｓ１０８を付したステップへ進む（Ｙｅｓ）。設定されたモードが、（モード１）目覚ましモードであると判断されない場合は、符合Ｓ１１３を付したステップへ進む（Ｎｏ）。
【００６９】
符号Ｓ１０８は、テレビ１１が３Ｄメガネ１２に設けられたアラーム音源１を指示し、一定時間、鳴らすステップである。特に図示しないが、例えば、居眠り検出信号送信部６に、テレビ１１から送信されるアラーム音源１を鳴らす指示を受ける受信部を設けることも可能である。続いて符合Ｓ１０９を付したステップへ進む。
【００７０】
符号Ｓ１０９は、予め決められた一定時間待機するステップである。続いて符合Ｓ１１０を付したステップへ進む。
符号Ｓ１１０は、一定時間待機後も、例えば視聴者に変化がなく、居眠り状態のままかを判断するステップである。一定時間待機後も居眠り状態のままであると判断された場合は、符号Ｓ１１１を付したステップへ進む（Ｙｅｓ）。一定時間待機後も居眠り状態のままであると判断されない場合は、符号Ｓ１０４を付したステップへ進み、上記処理が繰り返される。
【００７１】
符号Ｓ１１１は、例えば、このアラームを鳴らす回数をカウントし、一定回数に達したかを判断するステップである。一定回数に達したと判断された場合は、符号Ｓ１１２を付したステップへ進む（Ｙｅｓ）。一定回数に達したと判断されない場合は、符号Ｓ１０８を付したステップへ進み、上記処理が繰り返される（Ｎｏ）。
【００７２】
符号Ｓ１１２は、上記、アラームを鳴らし、一定回数に達したことをテレビ１２に送信するステップである。続いて符合Ｓ１１９を付したステップへ進む。
符号Ｓ１１３は、視聴者の居眠りを検出したことを通知する居眠り検出信号(SD)を、テレビ１２に送信するステップである。続いて符合Ｓ１１４を付したステップへ進む。
【００７３】
符号Ｓ１１４は、上記設定されたモードが、録画コンテンツの再生を停止する、（モード２）再生停止モードかを判断するステップである。再生停止モードであると判断された場合は、符号Ｓ１１５を付したステップへ進む（Ｙｅｓ）。再生停止モードであると判断されない場合は、符号Ｓ１２２を付したステップへ進む（Ｎｏ）。
【００７４】
符号Ｓ１１５は、録画コンテンツの再生を一時停止し、居眠り検出による再生一時停止をしていることを画面に表示するステップである。続いて符合Ｓ１１６を付したステップへ進む。
【００７５】
符号Ｓ１１６は、上記再生一時停止後に、視聴者（ユーザ）が録画コンテンツの再生を再開しないかを判断するステップである。録画コンテンツの再生が再開されないと判断された場合は、符号Ｓ１１７を付したステップへ進む（Ｙｅｓ）。録画コンテンツの再生が再開されないと判断されない場合は、符号Ｓ１２１を付したステップへ進む（Ｎｏ）。
【００７６】
符号Ｓ１１７は、録画コンテンツの再生が再開されないと判断されてから、一定時間が経過したかを判断するステップである。一定時間が経過したと判断された場合は、符号Ｓ１１８を付したステップへ進む（Ｙｅｓ）。一定時間が経過したと判断されない場合は、符号Ｓ１２１を付したステップへ進む（Ｎｏ）。
【００７７】
符号Ｓ１２１は、録画コンテンツの再生が再開されないと判断されてから、一定時間待機するステップである。続いて符合Ｓ１１６を付したステップへ進み、上記処理が繰り返される。
【００７８】
符号Ｓ１１８は、録画コンテンツの再生が再開されないと判断されてから、一定時間が経過し、録画コンテンツの再生を停止するステップである。続いて符合Ｓ１１９を付したステップへ進む。
【００７９】
符号Ｓ１２２は、上記のように、再生停止モードであると判断されない場合に、一定時間待機するステップである。続いて符合Ｓ１２３を付したステップへ進む。
符号Ｓ１２３は、視聴者が居眠り状態のままかを判断するステップである。視聴者が居眠り状態のままであると判断された場合は、符号Ｓ１２４を付したステップへ進む（Ｙｅｓ）。視聴者が居眠り状態のままであると判断されない場合は、符号Ｓ１２６を付したステップへ進む（Ｎｏ）。
【００８０】
符号Ｓ１２６は、視聴者が居眠りから目覚め、テレビ１２に居眠り解除を送信するステップである。続いて符合Ｓ１０４を付したステップへ進み、上記処理が繰り返される。
【００８１】
符号Ｓ１２４は、上記設定されたモードが、例えば視聴者の居眠り検出に応じて視聴中の放送番組の録画を開始する、上記（モード３）録画モードかを判断するステップである。録画モードであると判断された場合は、符号Ｓ１２５を付したステップへ進む（Ｙｅｓ）。録画モードであると判断されない場合は、符号Ｓ１１９を付したステップへ進む（Ｎｏ）。
【００８２】
符号Ｓ１２５は、例えば、予め設定されている録画機器（録画装置）３４に、録画を開始するステップである。続いて符合Ｓ１１９を付したステップへ進む。
符号Ｓ１１９は、テレビ１１を待機状態にするステップである。続いて符合Ｓ１２０を付したステップへ進む。
符号Ｓ１２０は、３Ｄメガネの電源をOFFにするステップである。続いて符合Ｓ１２８を付したステップへ進む。
符号Ｓ１２８は、終了ステップであり、ここでの処理は終了する。
上記のように構成することによって、この実施の形態においては、視聴者が番組を視聴しながら居眠りをしても、番組の見逃しを防止することが可能となる。
また、視聴者が居眠りをしている間に、無駄に消費される電力を低減することが可能となる。
なお、上記実施形態は、記述そのものに限定されるものではなく、実施段階では、その趣旨を逸脱しない範囲で、構成要素を種々変形して具体化することが可能である。
【符号の説明】
【００８３】
１０…テレビ画面、１１…デジタルテレビジョン放送受信装置、１２…立体視用眼鏡（３Ｄメガネ）、１３…キャビネット、１４…支持台、１５…液晶表示パネル、１６…スピーカ、１７…操作部、１７ａ…主電源スイッチ、１８…リモートコントローラ、１９…受光部、２０…基台、２１…着脱検出部、２２…アンテナ、２３…入力端子、２４…選局復調部、２５…ＴＳ分離部、２６…映像デコーダ、２７…映像フレームバッファ、２８…映像出力部、２９…音声バッファ、３０…音声出力部、３１…音声デコーダ、３２…入力端子、３３…制御部、３３ａ…ＣＰＵ、３３ｂ…メモリ部、３４…ＨＤＤ、３４ａ…ハードディスク、３５…ネットワークインターフェース、３６…入出力端子、３８…入力端子、３９…３次元２次元（３Ｄ−２Ｄ）変換部、４０…左右映像分離部、４１…倍速変換部、４２…セレクタ、４３…左右クロストーク防止部、４４…選択信号生成部、４５…映像出力処理部、４６…出力端子、４７…出力端子、４８…受信部、４９…解析部。
【図１】
2011254365.tif 000003
【図２】
2011254365.tif 000004
【図３】
2011254365.tif 000005
【図４】
2011254365.tif 000006
【図５】
2011254365.tif 000007